(57)【特許請求の範囲】
【請求項１】
内部が収納室と機械室とに区画され、前記収納室が少なくとも前面を通じて視認可能な箱状のケース本体と、
前記ケース本体の後面に形成された開口を開閉するための扉体と、
前記収納室に上下方向に沿って複数段設けられ、収納対象となる商品を載置する商品載置棚と
を備え、前記前面を通じて前記商品載置棚に載置された商品を視認させるショーケースにおいて、
前記収納室の内部の空気を該収納室と前記機械室との間で循環させる循環手段と、
前記機械室に配設され、前記循環手段により循環させられる空気を加熱する加熱手段と、
前記扉体の前面に配設され、かつ前記循環手段により前記機械室から前記収納室に送出された空気を下端部に設けられた導入口より導入して前記扉体の前面に沿って通過させるとともに、上端部に設けられた吹出口より吹き出させるダクトと
を備え、
前記ダクトは、
前記商品載置棚の下部を臨む態様で形成され、かつ前記商品載置棚の下部に沿って前方に向けて空気を噴出させる噴出口を備え、
前記商品載置棚は、
前記収納室の後方側に左右一対となる態様で立設された棚柱に支持された左右一対のブラケット部材と、
上面が前記商品を載置する商品載置面を構成し、かつ後方へ引出操作された場合には前記ブラケット部材間にて後方に向けてスライド移動可能な棚板と
を備えてなり、
前記棚板は、前記ブラケット部材に対して着脱可能であり、
前記棚板の後端部に設けられ、かつ前記扉体が前記開口を閉成する場合に前記ダクトの前面に接することで前記棚板と前記ダクトとの隙間を閉塞するクッション部材を備えたことを特徴とするショーケース。
【請求項２】
前記ダクトは、前記扉体の前面に沿って通過する空気を各高さレベルの噴出口に案内するガイド部材を備えたことを特徴とする請求項１に記載のショーケース。
【請求項３】
前記ダクトは、前記扉体の前面に着脱可能に配設されていることを特徴とする請求項１又は請求項２に記載のショーケース。
【請求項４】
前記ダクトは、前記扉体とともに透明な材料から構成され、かつ扉体及び自身を通じて前記収納室を視認可能にさせることを特徴とする請求項１〜３のいずれか１つに記載のショーケース。
【発明の詳細な説明】
【技術分野】
【０００１】
本発明は、ショーケースに関するものである。
【背景技術】
【０００２】
例えばコンビニエンスストア等の店舗のカウンタ上に設置され、かつ商品を外部から視認可能に載置するショーケースが特許文献１に提案されている。
【０００３】
かかるショーケースは、ケース本体を備えている。ケース本体は、箱状の形態を成しており、内部が収納室と機械室とに区画されている。このケース本体は、収納室を構成する前面が接客面を構成し、かつ該収納室を構成する後面に開口が形成されている。
【０００４】
上記ケース本体の収納室には、商品載置棚が上下方向に沿って複数段設けられている。商品載置棚は、収納対象となる商品を載置するものである。また、ケース本体の後面に形成された開口は、複数のガラス扉が左右にスライド移動することで開閉される。
【０００５】
このようなショーケースは、ケース本体における収納室を構成する前面（接客面）等が透明な樹脂材等で形成されており、これにより接客面を通じて商品載置棚に載置された商品を視認させるようにしている。
【先行技術文献】
【特許文献】
【０００６】
【特許文献１】特開２００８−１６７９２７号公報
【発明の概要】
【発明が解決しようとする課題】
【０００７】
ところで、上述した特許文献１に提案されているショーケースでは、各商品載置棚の下面等にヒータを設けることにより、該商品載置棚に載置された商品を加熱していた。そのため、各商品載置棚の清掃等を行う場合には、ヒータに接続される配線を取り外す必要があり、結果的に、各商品載置棚の清掃作業が煩雑なものとなっていた。
【０００８】
本発明は、上記実情に鑑みて、商品載置棚の清掃作業を簡単なものとすることができるショーケースを提供することを目的とする。
【課題を解決するための手段】
【０００９】
上記目的を達成するために、本発明に係るショーケースは、内部が収納室と機械室とに区画され、前記収納室が少なくとも前面を通じて視認可能な箱状のケース本体と、前記ケース本体の後面に形成された開口を開閉するための扉体と、前記収納室に上下方向に沿って複数段設けられ、収納対象となる商品を載置する商品載置棚とを備え、前記前面を通じて前記商品載置棚に載置された商品を視認させるショーケースにおいて、前記収納室の内部の空気を該収納室と前記機械室との間で循環させる循環手段と、前記機械室に配設され、前記循環手段により循環させられる空気を加熱する加熱手段と、前記扉体の前面に配設され、かつ前記循環手段により前記機械室から前記収納室に送出された空気を下端部に設けられた導入口より導入して前記扉体の前面に沿って通過させるとともに、上端部に設けられた吹出口より吹き出させるダクトとを備え、前記ダクトは、前記商品載置棚の下部の高さレベルに形成され、かつ前記商品載置棚の下部に沿って前方に向けて空気を噴出させる噴出口を備えたことを特徴とする。
【００１０】
また本発明は、上記ショーケースにおいて、前記商品載置棚は、前記収納室の後方側に左右一対となる態様で立設された棚柱に支持された左右一対のブラケット部材と、上面が前記商品を載置する商品載置面を構成し、かつ後方へ引出操作された場合には前記ブラケット部材間にて後方に向けてスライド移動可能な棚板とを備えてなり、前記棚板は、前記ブラケット部材に対して着脱可能であることを特徴とする。
【００１１】
また本発明は、上記ショーケースにおいて、前記棚板の後端部に設けられ、かつ前記扉体が前記開口を閉成する場合に前記ダクトの前面に接することで前記棚板と前記ダクトとの隙間を閉塞するクッション部材を備えたことを特徴とする。
【００１２】
また本発明は、上記ショーケースにおいて、前記ダクトは、前記扉体の前面に沿って通過する空気を各高さレベルの噴出口に案内するガイド部材を備えたことを特徴とする。
【００１３】
また本発明は、上記ショーケースにおいて、前記ダクトは、前記扉体の前面に着脱可能に配設されていることを特徴とする。
【００１４】
また本発明は、上記ショーケースにおいて、前記ダクトは、前記扉体とともに透明な材料から構成され、かつ扉体及び自身を通じて前記収納室を視認可能にさせることを特徴とする。
【発明の効果】
【００１５】
本発明によれば、循環手段により加熱手段にて加熱された空気をダクトに導入させ、扉体の前面に沿って通過させるとともに、吹出口より吹き出させることで、収納室の全体に亘って内部空気を早期に加熱することができる。これにより、従来のように商品載置棚の下面等にヒータを設けることなく、商品載置棚に載置された商品を加熱することができる。従って、商品載置棚の清掃等を行う場合には、従来のようにヒータに接続される配線を取り外す必要がなく商品載置棚を外部に引き出せばよく、商品載置棚の清掃作業を簡単なものとすることができるという効果を奏する。
【００１６】
また本発明によれば、ダクトには、商品載置棚の下部の高さレベルにおいて、商品載置棚の下部に沿って前方に向けて空気を噴出させる噴出口が形成されているので、該商品載置棚の直下の商品載置棚に載置された商品に該噴出口から噴出された空気が接することを抑止でき、これにより、該商品が必要以上に乾燥してしまうことを抑制することができるという効果を奏する。
【図面の簡単な説明】
【００１７】
【図１】図１は、本発明の実施の形態であるショーケースの内部構造を左側から見た場合を模式的に示す断面側面図である。
【図２】図２は、収納室における複数の商品載置棚を右側上方より見た場合を示す斜視図である。
【図３】図３は、収納室における複数の商品載置棚を右側下方より見た場合を示す斜視図である。
【図４】図４は、ブラケット部材を示す斜視図である。
【図５】図５は、右側のブラケット部材の平面図である。
【図６】図６は、右側のブラケット部材の背面図である。
【図７】図７は、右側のブラケット部材が右側の棚柱に支持される状態を示す左側面図である。
【図８】図８は、右側のブラケット部材が右側の棚柱に支持される状態を示す平面図である。
【図９】図９は、係止片が第１係止孔に挿入されて係止される状態を示す模式図である。
【図１０】図１０は、受部材を示す斜視図である。
【図１１】図１１は、商品載置棚の要部を示す斜視図である。
【図１２】図１２は、レール部材を示す斜視図である。
【図１３】図１３は、棚板を示す斜視図である。
【図１４】図１４は、扉体の前面を右側前方上方域から見た場合を示す斜視図である。
【図１５】図１５は、扉体の前面を右側前方下方域から見た場合を示す斜視図である。
【図１６】図１６は、扉体の前面の正面図である。
【発明を実施するための形態】
【００１８】
以下に添付図面を参照して、本発明に係るショーケースの好適な実施の形態について詳細に説明する。
【００１９】
図１は、本発明の実施の形態であるショーケースの内部構造を左側から見た場合を模式的に示す断面側面図である。ここで例示するショーケースは、例えばコンビニエンスストア等の店舗のカウンタ上に設置されて商品を陳列するものであり、ケース本体１０及び扉体４０を備えている。
【００２０】
ケース本体１０は、箱状の形態を成しており、内部が収納室１１と機械室１２とに上下に区画されている。このケース本体１０は、収納室１１を構成する前面１３が左右両側面１４とともに接客面を構成し、かつ該収納室１１を構成する後面１５に開口（以下、後面開口ともいう）１５ａが形成されている。かかるケース本体１０では、収納室１１を構成する各面１３等は断熱構造を有する透明なガラス材や樹脂材により構成されており、収納室１１が外部から視認可能である。また、接客面を構成する前面１３は、上方に向かうに連れて漸次後方に湾曲してなるものである。
【００２１】
上記ケース本体１０における収納室１１には、複数の商品載置棚１６が上下方向に沿って複数段並べて配設されている。
【００２２】
図２及び図３は、それぞれ収納室１１における複数の商品載置棚１６を示すものであり、図２は、右側上方より見た場合を示す斜視図であり、図３は、右側下方より見た場合を示す斜視図である。これら図２及び図３に示すように、商品載置棚１６は、ブラケット部材１７、受部材１８及び棚板１９を備えて構成されている。
【００２３】
ブラケット部材１７は、図４にも示すように左右一対のものである。このようなブラケット部材１７は、互いの内面が対向する態様で棚柱２０に支持されている。尚、ここでいう「内面」とは、右側のブラケット部材１７では左面をさし、左側のブラケット部材１７では右面をさすものとする。また、左側のブラケット部材１７は、右側のブラケット部材１７に対して左右方向の構成が異なるだけであるので、以下においては右側のブラケット部材１７について説明し、左側のブラケット部材１７の説明は割愛する。
【００２４】
棚柱２０は、収納室１１の後方側において互いの内面が対向する態様で立設された左右一対のものである。これら棚柱２０は、第１係止孔２０１及び第２係止孔２０２が形成されている。尚、ここでいう「内面」とは、右側の棚柱２０では左面をさし、左側の棚柱２０では右面をさすものとする。
【００２５】
第１係止孔２０１は、各棚柱２０の内面に上下方向に沿って所定間隔毎に形成された矩形状のものである。つまり各棚柱２０の内面においてそれぞれの高さレベルに形成された第１係止孔２０１同士が左右一対となる態様で互いに対向して形成されている。
【００２６】
第２係止孔２０２は、各棚柱２０の前面に上下方向に沿って所定間隔毎に形成されている。これら第２係止孔２０２は、棚柱２０の内面に連続する態様で形成された長孔である。また、第２係止孔２０２では、棚柱２０の内面に開口する部分の上下寸法が棚柱２０の前面に開口する部分の上下寸法よりも大きくなるよう形成されている。
【００２７】
図５及び図６は、それぞれ右側のブラケット部材１７を示すものであり、図５は、右側のブラケット部材１７の平面図であり、図６は、右側のブラケット部材１７の背面図である。これら図５及び図６にも示すように、上記ブラケット部材１７は、内面に２つのブラケットローラ１７１が回転可能に配設されており、係止片１７２、当接片１７３、係合片１７４及びサイドストッパ１７５が形成されている。
【００２８】
係止片１７２は、複数（図示の例では３つ）あり、それぞれブラケット部材１７の後端部の舌片状部分を他のブラケット部材１７とは反対側の方向、すなわち右方に屈曲させることで形成されている。
【００２９】
これら係止片１７２の基端部分の下端部には切欠１７２ａが形成されている。ここで切欠１７２ａの左右方向の長さは棚柱２０を構成する板金の厚み、すなわち第１係止孔２０１の開口縁部の厚みよりも僅かに大きいものである。
【００３０】
当接片１７３は、ブラケット部材１７における後端部であって係止片１７２よりも前方側となる個所が切り起こされたことにより形成された矩形状部分を上記係止片１７２と同一の方向に屈曲させて形成されたものである。この当接片１７３は、上下方向が長手方向となる長尺状部分である。また、この当接片１７３の下端部には係止突起１７３ａが設けられている。係止突起１７３ａは、当接片１７３の下端縁部が後方に向けて屈曲されたことにより形成されたものであり、後方に向けて突出するものである。
【００３１】
係合片１７４は、複数（図示の例では２つ）あり、それぞれがブラケット部材１７の後端部であって係止片１７２の間に後方に向けて突出する態様で形成した平板状部分である。サイドストッパ１７５は、ブラケット部材１７の前端部において、右方に向けて突出する態様で設けられたロッド状のものである。このサイドストッパ１７５は、左右方向が長手方向となる長尺状部材であり、その左右方向の長さは、先端がケース本体１０の側面（右側面）１４に接することが可能な大きさである。
【００３２】
図７及び図８は、それぞれ右側のブラケット部材１７が右側の棚柱２０に支持される状態を示すもので、図７は、左側面図であり、図８は、平面図である。
【００３３】
右側のブラケット部材１７を右側の棚柱２０に対して左方側から近接させて、係止片１７２を第１係止孔２０１に進入させるとともに係止突起１７３ａを第２係止孔２０２に進入させ、その後に、図９に示すように係止片１７２の切欠１７２ａに第１係止孔２０１の下縁部が相対的に進入するよう右側のブラケット部材１７を下方に変位させることで、当接片１７３が棚柱２０の前面に接するとともに係合片１７４が棚柱２０の内面に接して右側のブラケット部材１７が右側の棚柱２０に支持される。
【００３４】
受部材１８は、図１０に示すように左右一対のものである。尚、左側の受部材１８は、右側の受部材１８に対して左右方向の構成が異なるだけであるので、以下においては右側の受部材１８について説明し、左側の受部材１８の説明は割愛する。
【００３５】
受部材１８は、前後方向が長手方向となる長尺状のものであり、上下方向に沿って延在する受基部１８１と、受基部１８１の上端縁部より左方に向けて延在する受上面部１８２とを有している。受基部１８１の左面には、２つの受部ローラ１８３が回転可能に配設されている。受上面部１８２には、前後方向が長手方向となる受長孔１８４が形成されている。この受長孔１８４は、長手方向の中央部分の幅が、前方部分及び後方部分の幅よりも大きくなるように形成されている。また、受上面部１８２の後端部には受ストッパ部１８５が形成されている。受ストッパ部１８５は、受上面部１８２の後端部において後方に向けて突出する矩形状部分を上方に向けて屈曲させた後に前方に向けて屈曲させることにより形成されたものである。
【００３６】
このような受部材１８は、図１１に示すように、レール部材２１を介してブラケット部材１７の内面に配設されている。ここでレール部材２１は、図１２に示すように、ブラケットレール部２１ａと棚レール部２１ｂとが互いに接合されて構成されたものである。尚、レール部材２１も、ブラケット部材１７や受部材１８と同様に左右一対のものであり、左側のレール部材２１は、右側のレール部材２１に対して左右方向の構成が異なるだけであるので、以下においては右側のレール部材２１について説明し、左側のレール部材２１の説明は割愛する。
【００３７】
ブラケットレール部２１ａは、縦断面が略コ字状を成し、前後方向が長手方向となる長尺棒状体である。このブラケットレール部２１ａは、ブラケットローラ１７１の進入を許容し、かつブラケットローラ１７１を転動させるものである。棚レール部２１ｂは、縦断面が略コ字状を成し、前後方向が長手方向となる長尺棒状体である。この棚レール部２１ｂは、受部ローラ１８３の進入を許容し、かつ受部ローラ１８３を転動させるものである。
【００３８】
このようにレール部材２１は、ブラケットレール部２１ａにブラケットローラ１７１が進入して転動することで、ブラケット部材１７に対して前後方向に沿ってスライド移動可能なものである。また、受部材１８は、受部ローラ１８３がレール部材２１の棚レール部２１ｂに進入して転動することで、レール部材２１に対して前後方向に対してスライド移動可能なものである。つまり、受部材１８は、レール部材２１を介することで、ブラケット部材１７に内面に対して前後方向に沿って移動可能に配設されている。
【００３９】
棚板１９は、平板状の形態を成すものであり、その上面が商品を載置するための商品載置面を構成している。この棚板１９の下面における左右両端部には、図１３に示すように係合部材１９１が設けられている。
【００４０】
係合部材１９１は、前後方向が長手方向となり、かつ下方に向けて突出する長尺状突部１９２を有している。この長尺状突部１９２の前後長さ及び左右方向の長さは、上記受長孔１８４に進入可能な大きさである。また、係合部材１９１は、長尺状突部１９２の前端部にフック部１９３が設けられている。
【００４１】
このような棚板１９は、それぞれの係合部材１９１における長尺状突部１９２を各受部材１８の受長孔１８４に進入させるようにし、図２及び図３に示すように、フック部１９３を受部材１８における受長孔１８４の前縁部に係止させ、かつ受ストッパ部１８５により後方への移動を規制されることでこれら受部材１８を跨るようにして該受部材１８に係合している。
【００４２】
そして、棚板１９には棚把手部１９４が形成されている（図２参照）。棚把手部１９４は、棚板１９の後端部における左右方向の中央部分にて上方に向けて延在する態様で形成されている。
【００４３】
かかる棚板１９は、各受部材１８に係合することで、ブラケット部材１７に対して前後方向にスライド移動可能である。つまり、棚板１９は、引出操作された場合には、後面開口１５ａを通じて後方に向けてスライド移動することが可能であり、押出操作された場合には、後面開口１５ａを通じて前方に向けてスライド移動することが可能である。そして、このような棚板１９の上面には、商品が前後方向及び左右方向に並ぶよう載置されている。
【００４４】
上記ケース本体１０の機械室１２には、加熱ユニット３０が配設されている。この加熱ユニット３０は、ユニット本体３１、循環ファン（循環手段）３２及びヒータ（加熱手段）３３を備えて構成されている。
【００４５】
ユニット本体３１は、機械室１２に配設された断熱筐体である。このユニット本体３１は、収納室１１と機械室１２とを区画する断熱底板２４に形成された吸込口２４１及び送出口２４２を通じて収納室１１に連通している。
【００４６】
循環ファン３２は、ユニット本体３１の内部に配設されている。この循環ファン３２は、駆動することにより上記吸込口２４１を通じて収納室１１の内部の空気を吸引し、ユニット本体３１を通過した空気を、送出口２４２を通じて収納室１１に送出することで、収納室１１の内部の空気を収納室１１と機械室１２との間で循環させるものである。
【００４７】
ヒータ３３は、複数（図示の例では２つ）設けられている。これらヒータ３３は、ユニット本体３１の内部において、循環ファン３２の後方側に設置されている。このようなヒータ３３は、駆動する場合に通電状態となって、循環ファン３２によりユニット本体３１を通過する空気を加熱するものである。
【００４８】
尚、図１中の符号２５は、機械室１２の底面であり、符号２６は、ケース本体１０の脚部である。
【００４９】
扉体４０は、後面開口１５ａを開閉するためのものであり、後面開口１５ａを閉成するのに十分な大きさを有した平板状部材である。この扉体４０は、断熱性能を有する透明な樹脂材等から構成されている。
【００５０】
上記扉体４０の前面の周縁部、すなわち後面開口１５ａを閉成する場合に該後面開口１５ａの周縁部を形成するケース本体１０の金属製フレームに対向する部分にガスケット部材４１が配設されている。かかるガスケット部材４１としては、扉体４０が後面開口１５ａを閉成する際に、磁力の作用により後面開口１５ａの周縁部に吸着することが可能なマグネットガスケットであることが好ましい。
【００５１】
図１４〜図１６は、それぞれ扉体４０の前面を示すもので、図１４は、右側前方上方域から見た場合を示す斜視図であり、図１５は、右側前方下方域から見た場合を示す斜視図であり、図１６は、正面図である。
【００５２】
これら図１４〜図１６に示すように、扉体４０の前面にはダクト４２が配設されている。ダクト４２は、上記扉体４０とともに透明な樹脂材等から構成されるものである。このようなダクト４２は、扉体４０の前面との間に上下方向に沿って延在する空気風路４２ａを形成しており、導入口４２１、吹出口４２２、噴出口４２３及びガイド部材４２４（図１参照）を有している。
【００５３】
導入口４２１は、下端部に形成された開口であり、後述するように循環ファン３２が駆動する場合に、空気を導入するための開口である。導入口４２１を通じて導入された空気は空気風路４２ａを通過することとなる。この導入口４２１は、扉体４０が後面開口１５ａを閉成する場合に、送出口２４２の上方側に位置するものである。
【００５４】
吹出口４２２は、上端部に形成された開口であり、後述するが、循環ファン３２が駆動する場合に、空気風路４２ａを通過した空気を吹き出すための開口である。
【００５５】
噴出口４２３は、ダクト４２の前面に複数形成されている。より詳細に説明すると、噴出口４２３は、最上位の商品載置棚１６、上から２番目の商品載置棚１６及び上から３番目の商品載置棚１６のそれぞれの下部の高さレベルに相当する個所に形成されている。これら噴出口４２３は、上記循環ファン３２が駆動する場合に、空気風路４２ａを通過する空気の一部を、最上位の商品載置棚１６、上から２番目の商品載置棚１６及び上から３番目の商品載置棚１６の下部に沿って前方に向けて噴出させるための開口である。
【００５６】
ガイド部材４２４は、各高さレベルの噴出口４２３ごとに設けられており、左右方向が長手方向となる長尺状のものである。これらガイド部材４２４は、導入口４２１から離れるに従って、すなわち噴出口４２３の高さレベルが高くなるに従って、空気風路４２ａにおける抵抗が大きくなるように形成されている。このようなガイド部材４２４は、空気風路４２ａを通過する空気を自身に近接する噴出口４２３に案内するものである。
【００５７】
このようなダクト４２は、右端部が扉体４０の前面に取り付けられた右側ダクトカバー４３により右方への移動及び下方への移動が規制されるよう保持されるとともに、左端部の下方側が扉体４０の前面に取り付けられた左側ダクトカバー４４により下方への移動及び左方への移動が規制されるよう保持され、更に左端部に取り付けられた磁石４６が扉体４０の前面に配設された磁性板４７に磁力により吸着することで配設されている。つまり、ダクト４２は、磁石４６を磁性板４７から離脱させて上方に受けて移動させることで扉体４０から離脱することができ、これにより、ダクト４２は、扉体４０の前面に着脱可能に配設されている。
【００５８】
上記扉体４０は、ケース本体１０の後面１５を構成する後面開口１５ａの右側縁部（金属製フレーム）に配設された図示せぬ軸部の中心軸回りに揺動可能に配設されており、該軸部の中心軸回りに揺動することで後面開口１５ａを開閉するものである。この扉体４０の後面１５には、扉把手部４８が設けられている。扉把手部４８は、扉体４０の後面１５における左方側に取り付けられている。
【００５９】
上記ショーケースにおいては、上記構成の他に、クッション部材５０が設けられている。クッション部材５０は、図１に示すように、最上位の商品載置棚１６、上から２番目の商品載置棚１６及び上から３番目の商品載置棚１６の各棚板１９の後端部に設けられている。このようなクッション部材５０は、弾性材料から構成されるものであり、扉体４０が後面開口１５ａを閉成する場合にダクト４２の前面に接することで、棚板１９とダクト４２との隙間を閉塞するものである。
【００６０】
以上のような構成を有するショーケースにおいては、扉体４０が後面開口１５ａを閉成した状態で循環ファン３２が駆動することにより、収納室１１の内部空気が吸込口２４１を通じてユニット本体３１に至る。ユニット本体３１に至った空気は、該ユニット本体３１の内部を通過中に通電状態となるヒータ３３により加熱され、その後に送出口２４２を通じて収納室１１に送出される。
【００６１】
送出口２４２より送出された空気は、導入口４２１を通じてダクト４２に導入されて空気風路４２ａを通過し、吹出口４２２より吹き出されるとともに、噴出口４２３より噴出される。
【００６２】
吹出口４２２より吹き出された空気は、各商品載置棚１６の前方域及び左右両側域を下方に向けて通過し、その後に吸込口２４１に吸い込まれる。各高さレベルの噴出口４２３から噴出される空気は、対応する商品載置棚１６の下部に沿って前方に向けて噴出され、その後に、収納室１１の前方域を通過して吸込口２４１に吸い込まれる。
【００６３】
このようにして吸込口２４１に吸い込まれた空気は、ユニット本体３１の内部を通過して上述した循環を繰り返す。この結果、収納室１１の内部空気が加熱され、これにより商品載置棚１６に載置された商品が加熱される。
【００６４】
またショーケースは、商品載置棚１６に載置された商品の取り出し作業を行う場合には、扉体４０が開操作されて後方に向けて揺動することで後面開口１５ａが開放される。その後に所望の商品を載置する商品載置棚１６の棚板１９が後方に向けて引き出される引出操作が行われることで、該棚板１９が後方に向けてスライド移動して、商品の取り出し作業が行われる。
【００６５】
商品の取り出しが行われた後、引出操作された棚板１９が前方に向けて押し込まれる押出操作が行われることで、該棚板１９が前方に向けてスライド移動する。その後に扉体４０が閉操作されて前方に向けて揺動することでガスケット部材４１がケース本体１０の後面１５における後面開口１５ａの周縁部に吸着して該後面開口１５ａが閉成される。
【００６６】
以上説明したような本実施の形態であるショーケースによれば、循環ファン３２の駆動によりヒータ３３にて加熱された空気をダクト４２の空気風路４２ａに導入させて扉体４０の前面に沿って上方に向けて移動させつつ吹出口４２２より吹き出させることにより、収納室１１の全体に亘って内部空気を早期に加熱することができる。これにより、従来のように商品載置棚の下面等にヒータを設けることなく、商品載置棚１６に載置された商品を加熱することができる。従って、各商品載置棚１６の清掃等を行う場合には、従来のようにヒータに接続される配線を取り外す必要がなく各商品載置棚１６を外部に引き出せばよく、商品載置棚１６の清掃作業を簡単なものとすることができる。
【００６７】
上記ショーケースによれば、噴出口４２３からの空気を、最上位の商品載置棚１６、上から２番目の商品載置棚１６及び上から３番目の商品載置棚１６の下部に沿って前方に向けて噴出させることができるので、これら商品載置棚１６の直下の商品載置棚（上から２番目の商品載置棚１６、上か３番目の商品載置棚１６及び最下位の商品載置棚１６）に載置された商品に該噴出口４２３から噴出された空気が接することを抑止でき、これにより、該商品が必要以上に乾燥してしまうことを抑制することができる。
【００６８】
上記ショーケースによれば、クッション部材５０が、扉体４０が後面開口１５ａを閉成する場合に棚板１９とダクト４２との隙間を閉塞するので、噴出口４２３から噴出された空気が棚板１９とダクト４２との隙間を通過してしまうことを抑止でき、噴出口４２３から噴出された空気を対応する商品載置棚１６の下部に沿って良好に通過させることができる。
【００６９】
上記ショーケースによれば、ガイド部材４２４が、導入口４２１から離れるに従って、空気風路４２ａにおける抵抗が大きくなるように形成されており、空気風路４２ａを通過する空気を自身に近接する噴出口４２３に案内するので、各高さレベルの噴出口４２３から略均等な流量の空気を噴出させることができる。
【００７０】
上記ショーケースによれば、ダクト４２は扉体４０に着脱可能に配設されているので、ダクト４２を扉体４０から取り外すことで、該ダクト４２の清掃等を簡単に行うことができる。
【００７１】
上記ショーケースによれば、ダクト４２は扉体４０とともに透明な樹脂材等から構成されているので、後方からも収納室１１を視認させることができる。
【００７２】
また、本発明の実施の形態であるショーケースによれば、以下のような作用効果を奏する。
【００７３】
上記ショーケースによれば、棚板１９の後端部における左右方向の中央部分にて上方に向けて延在する態様で棚把手部１９４が形成されているので、店舗の販売員等は、かかる棚把手部１９４を把持して棚板１９を良好に引き出すことができる。
【００７４】
上記ショーケースによれば、商品載置棚１６を構成する棚板１９は、フック部１９３を受部材１８の受長孔１８４の前縁部から離脱させることで、受部材１８から容易に取り外すことができ、該棚板１９の清掃等を簡単に行うことができる。
【００７５】
上記ショーケースによれば、ブラケット部材１７は、棚柱２０に対して内方に移動させれば、係止片１７２を第１係止孔２０１から離脱させつつ係止突起１７３ａを第２係止孔２０２から離脱させることができ、ブラケット部材１７をレール部材２１及び受部材１８とともに容易に取り外すことができ、該ブラケット部材１７等の清掃等を簡単に行うことができる。
【００７６】
以上、本発明の好適な実施の形態について説明したが、本発明はこれに限定されるものではなく、種々の変更を行うことができる。
【００７７】
上述した実施の形態では、加熱手段としてユニット本体３１に設けられたヒータ３３を例示したが、本発明においては、これに限定されるものではなく、例えばペルチェ素子の放熱部や、冷凍サイクルの放熱器が加熱手段を構成してもよい。
【００７８】
上述した実施の形態では、噴出口４２３からの空気を、対象となる商品載置棚１６の下部に沿って前方に向けて噴出させるようにしていたが、本発明においては、後面に形成された開口が扉体により閉成される場合に、ダクトに形成された噴出口を通じて空気風路に連通する棚ダクトを対象となる商品載置棚の下部に設けてもよい。このような構成によれば、噴出口を通じて噴出された空気が棚ダクトを通過するようにすることができ、商品の乾燥をより効果的に抑制することが可能になる。
【符号の説明】
【００７９】
１０  ケース本体
１１  収納室
１２  機械室
１３  前面
１４  側面
１５  後面
１５ａ  後面開口ａ
１６  商品載置棚
１７  ブラケット部材
１８  受部材
１９  棚板
３０  加熱ユニット
３１  ユニット本体
３２  循環ファン（循環手段）
３３  ヒータ（加熱手段）
４０  扉体
４１  ガスケット部材
４２  ダクト
４２ａ  空気風路
４２１  導入口
４２２  吹出口
４２３  噴出口
４２４  ガイド部材
５０  クッション部材
【図１】
0006728774.tif 000002
【図２】
0006728774.tif 000003
【図３】
0006728774.tif 000004
【図４】
0006728774.tif 000005
【図５】
0006728774.tif 000006
【図６】
0006728774.tif 000007
【図７】
0006728774.tif 000008
【図８】
0006728774.tif 000009
【図９】
0006728774.tif 000010
【図１０】
0006728774.tif 000011
【図１１】
0006728774.tif 000012
【図１２】
0006728774.tif 000013
【図１３】
0006728774.tif 000014
【図１４】
0006728774.tif 000015
【図１５】
0006728774.tif 000016
【図１６】
0006728774.tif 000017